【手続補正書】
【提出日】平成18年10月18日(2006.10.18)
【手続補正１】
【補正対象書類名】特許請求の範囲
【補正対象項目名】全文
【補正方法】変更
【補正の内容】
【特許請求の範囲】
【請求項１】
電動ドライバーでねじ切りされたネジをネジ帯体から打ち込むためのスクリュードライバーアセンブリと、互いに並置され間隔のあいたネジを保持するプラスチック製の保持用帯片からなるネジ帯体との組合せであって、
帯片がネジの間とネジに対して軸方向に延びて細長い接合ランドを有し、
スクリュードライバーアセンブリが、
ハウジングと、
電動ドライバーに作動的に連結して、それにより回転し、縦軸を画成するための細長いドライバーシャフトと、
最も前方に引き出した位置と引き込み位置の間でドライバーシャフトの軸に平行に変位するために、ハウジングに連結されるスライドボディとからなり、
スライドボディが、
内部で同軸上にネジ帯体の１つのネジを受けるための誘導通路と、
一般的にその第１側面で誘導通路に半径方向に開いているネジ帯体の入口通路と、
一般的に入口通路と反対側のその第２側面で誘導通路から半径方向に開いている帯片の出口通路とからなり、
誘導通路、入口通路および出口通路が並置されて、ネジ帯体を入口通路から半径方向に誘導通路の中に前進させて、各連続するネジを誘導通路内で同軸上に配置させるとともに、ネジを打ち込み終わった帯片の一部が誘導通路から出口通路まで延び、
スライドボディがリア部分と前ノーズ部分とを有し、ノーズ部分が前方位置と後方位置の間でドライバーシャフトの軸に平行に変位するようにリア部分と連結し、
ドライバーシャフトが前端にビットを有し、シャフトが誘導通路内に同軸上に配設されるネジをビットで係合して、誘導通路から軸方向に前方に工作物にネジを打ち込むために、誘導通路で軸方向に相対的な往復移動ができ、
リア部分が帯片の後方に出口通路と軸方向に一直線上にある軸方向に前向きの後帯片支持面を有し、
ノーズ部分が帯片の前方に出口通路と軸方向に一直線上にある軸方向に後向きの前帯片支持面をもつ組合せにおいて、
後方位置に向かってリア部分に対しノーズ部分がスライドするとき、出口通路の帯片が後帯片支持面と前帯片支持面の間に締め付けられることを特徴とする組合せ。
【請求項２】
ランドが後向きの裏面と前向きの前面を有し、後帯片支持面がランドの裏面に係合するとともに、前帯片支持面がランドの前面に係合した状態で、帯片が後帯片支持面と前帯片支持面の間に締め付けられることを特徴とする請求項１に記載の組合せ。
【請求項３】
リア部分が、前記ネジ帯体が一般的に縦軸に交差して前記リア部分を貫通して延びて、入口通路を介して誘導通路に開くための細長い案内溝を有することを特徴とする請求項１に記載の組合せ。
【請求項４】
案内溝がそれに収受するネジ帯体の断面と少なくとも一部密接に対応する断面を有し、それに収受される帯片とネジの、案内溝に沿った縦方向以外の実質的な動きを阻止することを特徴とする請求項３に記載の組合せ。
【請求項５】
各ネジが軸の周りに延び、ランドが隣り合うネジの間と同時に、すべてのネジの軸を含む面に平行な面のほぼ周りに配設されるネジに対して軸方向にも広がる薄板としてネジの間に広がることを特徴とする請求項２に記載の組合せ。
【請求項６】
帯片がさらに、ランドにより各スリーブに収受されるネジの１個と互いに接続される離間したスリーブを具備し、
各ネジが一方の後端に頭を有し、他方の前端に先端を有し、頭から先端まで延びるねじ切りされた軸部を有し、
ネジ頭がスリーブの一方の後端から延び、ネジの先端がスリーブの他方の前端から延びた状態で、各ネジがそれぞれ隣のネジから等間隔の各スリーブで収受され、
スリーブがねじ切りされた軸部と螺合し、
ネジのねじ切りされた先端をまず工作物に入れるときに、ネジが自動的にそのスリーブから分離するとともに、同時に帯体の長さを実質的に変わらないまま維持し、ネジのその各スリーブとの螺合によりネジを案内するように、スリーブがランド間に強度の弱い部分を有することを特徴とする請求項５に記載の組合せ。
【請求項７】
ランドの裏面が各ネジ頭から前方に一定の距離があいていることを特徴とする請求項６に記載の組合せ。
【請求項８】
ランドの前面が各ネジ頭から前方に一定の距離があいていることを特徴とする請求項７に記載の組合せ。
【請求項９】
帯片がネジの軸を共通の面にして、ネジを並置して間隔をあけて一列に保持し、
留め金具の頭を共通の面の第１曲面におくとともに、留め金具の先端を半径の大きい共通の面の対応する第２曲面において、帯片の少なくとも一部が一般的に湾曲した構成でネジを保持することを特徴とする請求項６に記載の組合せ。
【請求項１０】
ネジの軸を中点に通して、ネジ頭を共通の面の中点から一定距離のところに配設されることを特徴とする請求項９に記載の組合せ。
【請求項１１】
スライドボディが軸に平行なハウジングに対して前方に弾性的に片寄り、
ノーズ部分が軸に平行なリア部分に対して前方に弾性的に片寄ることを特徴とする請求項６に記載の組合せ。
【請求項１２】
前帯片支持面が出口通路の最も前の周縁を形成し、
後帯片支持面が出口通路の最も後の周縁を形成することを特徴とする請求項２に記載の組合せ。
【請求項１３】
ノーズ部分が縦軸を中心に相対的に回転しないようにリア部分に対して楔止されることを特徴とする請求項６に記載の組合せ。
【請求項１４】
ネジ帯体に係合して、ネジ帯体にあるネジを連続的に逐次案内溝から誘導通路の同軸上の位置まで前進させるために、リア部分によって担持されるネジ送り推進機構と、
スライドボディのリア部分とハウジングの間に連結することによって、引き出し位置と引き込み位置の間のハウジングに対するリア部分の変位がネジ送り起動機構を起動させて、ネジ送り推進機構を動かし、それによって連続するネジを前進させるネジ送り起動機構とを備えることを特徴とする請求項４に記載の組合せ。
【請求項１５】
ネジ送り起動機構がハウジング上のカム面と、リア部分によって担持されるカムフォロワーとを備えることを特徴とする請求項１４に記載の組合せ。
【請求項１６】
ネジ送り起動機構が、枢動軸を中心に枢動させるためにスライドボディ手段のリア部分に枢支されるレバーを具備し、
レバーがネジ送り推進機構に連結するために前方に延びた前アームを有し、レバー手段をカムフォロワーに連結することによって、ハウジングとリア部分の相対的な変位を枢動軸を中心とした前アームの相対的な枢動に変換することを特徴とする請求項１５に記載の組合せ。
【請求項１７】
ネジ送り推進機構が、縦軸に向かったり離れたりの往復移動をさせるために、リア部分に固定されるシャトルを具備することを特徴とする請求項１６に記載の組合せ。
【請求項１８】
シャトルが案内溝に平行で、かつ一般的に縦軸にも枢動軸にも直角な方向に、リア部分に対してスライド自在であることを特徴とする請求項１７に記載の組合せ。
【請求項１９】
シャトルが、シャトルが縦軸に向かってスライドするときに、ネジ帯体に係合してネジ帯体を前進させるための爪を担持することを特徴とする請求項１８に記載の組合せ。
【請求項２０】
誘導通路が、それに収受する対応するサイズのネジ頭の直径よりもわずかに大きい内径を有するドライバーシャフトの軸の周りに同軸上の面を有する一部円筒形のネジ位置決め側壁を具備し、ネジ頭を係合して、ネジをドライバーシャフトと整列して同軸上に配置することを特徴とする請求項６に記載の組合せ。
【請求項２１】
スライドボディの前記リア部分が前記ドライバーシャフトの周りに前方が開いたボアを有し、ボアが前開き端を有し、
前記ノーズ部分が、中空の少なくとも一部が管状の後方延長部を備えてそこに誘導通路の一部を形成し、後方延長部がボアの前開き端を介してボアの中に軸方向に延びることを特徴とする請求項６に記載の組合せ。
【請求項２２】
レバーが後端に後方に延びる後アームを有するとともに、カムフォロワーが後アームの後端に担持されることを特徴とする請求項１６に記載の組合せ。
【請求項２３】
シャトルが前進位置と引き込み位置の間を往復移動でき、爪がネジ帯体に係合するシャトルによって担持されて、シャトルが引き込み位置から前進位置に移動するときに、ネジ帯体を案内溝内で前進させることを特徴とする請求項１７に記載の組合せ。
【請求項２４】
誘導通路が第１直径のネジ頭を有する留め金具を収受するのに適合し、
誘導通路が第１直径よりもわずかに大きい内径を有し、
誘導通路が留め金具の頭の周りに、出口通路の軸方向に後方に少なくとも約１２０度広がることを特徴とする請求項６に記載の組合せ。
【請求項２５】
誘導通路が留め金具の頭の周りに、出口通路の軸方向に後方に約１８０度広がることを特徴とする請求項２４に記載の組合せ。
【請求項２６】
前帯片支持面がノーズ部分の残りの部分に相対的に移動しないように固定されるネジ帯体アセンブリとしたことを特徴とする請求項６に記載の組合せ。
【請求項２７】
前帯片支持面と後帯片支持面の一方が、帯片上にある所望の位置に帯片を配置する帯片位置決め手段で位置あわせするときに係合する支持位置決め手段を備えて、ネジを誘導通路内に同軸上に配設するよう維持するのを助けることを特徴とする請求項６に記載の組合せ。
【請求項２８】
帯片位置決め手段が、
帯片の縦方向に交差して後方に延びる帯片のランドの前面に等間隔の切込みを具備し、
支持位置決め手段がそれに収受する切込みと相補形をなす前帯片支持面上に後方に延びる突起を具備することを特徴とする請求項２７に記載の組合せ。
【請求項２９】
突起又は切込みが傾斜状の係合面を有し、帯片を出口通路に前進させながら帯片を前帯片支持面から遠ざけるように後方に排動することによって、突起および各連続する切込みの離脱を助けることを特徴とする請求項２８に記載の組合せ。
【請求項３０】
傾斜状の係合面が、帯片を前帯片支持面に向かって前方に促されながら、帯片を誘導通路に交差して移動するように排動することによって、突起および各連続する切込みを所望の並置位置に係合するのを助ける面を有することを特徴とする請求項２９に記載の組合せ。
【請求項３１】
誘導通路がそれに収受するネジ頭に係合して、ネジ頭を誘導通路内で同軸上に軸方向に配置するのを助けることを特徴とする請求項６に記載の組合せ。
【請求項３２】
誘導通路が後開きの後開口から前開口までノーズ部分を完全に貫通して延び、
リア部分が、ドライバーシャフトの周りに同軸上にそれを通って、後開口を介して誘導通路まで前方に開いているボアを備え、
細長いコイルばねが後端と前端を有し、
ばねがドライバーシャフトの周りに同軸上に配設され、
ばねがリア部分のボアの中で軸方向にスライド自在で、
ばねの後端がハウジングに係合し、ばねの前端がノーズ部分に係合して、ノーズ部分をハウジングに対して前方に片寄らせて、それによってノーズ部分をリア部分に対して前方に前方位置の方に片寄らせて、ノーズ部分が前方位置にあるときにはスライドボディ全体をハウジングに対して前方に片寄らせることを特徴とする請求項６に記載の組合せ。
【請求項３３】
帯片は長さ方向に延びており、また、帯片はその長さ方向に相互に間隔を置いてネジを保持しており、そして、その帯片のランドを通る長さ方向の断面において、前記帯片のランドはネジの軸線と平行に延びているものとした請求項１乃至請求項３２の何れか一つに記載の組合せ。